(57)【要約】  Ｘ線ビーム２５８を発生するＸ線管２６０が提供される。前記Ｘ線管は、ｘ方向におけるフォーカルスポット偏向に対する静電グリッド２５６を有することができ、前記静電グリッドは、陰極２５０のいずれかの側に取り付けられる。更に、前記Ｘ線管は、ｙ方向におけるフォーカルスポット偏向に対する電磁コイル２６０を有することができ、双極子を形成する前記電磁コイルは、前記Ｘ線管の外部に取り付けられ、電子ビーム２５５が曲の間を通過するように前記陰極と陽極２０６の標的との間に位置する。前記静電グリッド及び前記電磁コイルは、互いに離れて配置され、電磁ｚ偏向と協力する静電ｘ偏向の組み合わせを提供する。
2013502033.tif 000002
【特許請求の範囲】
【請求項１】
Ｘ線ビームを発生するＸ線管において、前記Ｘ線管が、
ｘ方向におけるフォーカルスポット偏向に対する第１の偏向装置と、
ｙ方向におけるフォーカルスポット偏向に対する第２の偏向装置と、
を有し、
前記第１及び第２の偏向装置が、前記Ｘ線管のｚ軸に沿って互いに離れて配置される、
Ｘ線管。
【請求項２】
前記第１の偏向装置が、静電グリッドを含み、前記Ｘ線管の陰極カップに取り付けられる、請求項１に記載のＸ線管。
【請求項３】
前記第２の偏向装置が、双極子を形成する電磁コイルを含み、前記Ｘ線管の陰極と陽極との間に取り付けられる、請求項１に記載のＸ線管。
【請求項４】
前記第２の偏向装置は、前記第２の偏向装置が斜めに前記フォーカルスポットを偏向するようにｘ方向におけるフォーカルスポット偏向をも提供する、請求項１に記載のＸ線管。
【請求項５】
前記第１の偏向装置が、静的場、動的場及び動的場により重畳された静的場からなるグループの中の場を発生するように動作される、請求項１に記載のＸ線管。
【請求項６】
前記第２の偏向装置が、静的場、動的場及び動的場により重畳された静的場からなるグループの中の場を発生するように動作される、請求項１に記載のＸ線管。
【請求項７】
１以上のフィラメントを持つ陰極を有する、請求項１に記載のＸ線管。
【請求項８】
請求項１に記載のＸ線管と、
Ｘ線ビームの検出に対する検出器と、
処理ユニットと、
を有するＸ線システム。
【請求項９】
関心対象に対する前記Ｘ線管及び検出器の運動を制御し、前記関心対象の運動を制御するモータ制御ユニットを有する、請求項８に記載のＸ線システム。
【請求項１０】
請求項８に記載のシステムの処理ユニット上で実行される場合に、前記Ｘ線システムの前記Ｘ線管の前記第１の偏向装置にｘ方向において電子ビームのフォーカルスポットを偏向させ、前記Ｘ線システムの前記Ｘ線管の前記第２の偏向装置にｙ方向において電子ビームのフォーカルスポットを偏向させる命令を含むコンピュータプログラム。
【請求項１１】
関心対象の画像を生成するように前記検出器から受信されたデータを処理し、前記システムのディスプレイ上に前記画像を示す命令を含む、請求項１０に記載のコンピュータプログラム。
【請求項１２】
関心対象に対する前記Ｘ線管及び検出器の運動を制御し、前記Ｘ線管及び検出器に対する前記関心対象の運動を制御する命令を含む、請求項１０に記載のコンピュータプログラム。
【発明の詳細な説明】
【技術分野】
【０００１】
本発明は、Ｘ線管及びこのようなＸ線管を含むＸ線システムに関する。特に、本発明は、ｘ方向及びｙ方向（したがってｚ方向）におけるフォーカルスポットの偏向に対する手段を含むＸ線管に関する。更に、本発明は、このようなＸ線管を含むＸ線システムを制御するコンピュータプログラムに関する。
【背景技術】
【０００２】
ＣＴシステムの解像度を改良するためにフォーカルスポットを偏向させる概念は、確立されている。シングルライン検出器を使用する最初のアプリケーションは、フォーカルスポットが、約２分の１画素だけ停止位置の周りで横方向又はｘ方向に振動されるｘフライングフォーカルスポットとして知られる技術を採用した。この視差の意図的な導入は、解像度を効果的に二倍にする。
【０００３】
ダブルｘサンプリングは、標的焦点トラックの接線方向の経路において静止位置の周りで前記フォーカルスポットを振動することにより達成される。前記スポットは、静電グリッドを使用することにより又は電磁石によりのいずれかで約＋／−１／２画素だけ変位される。ダブルｘサンプリングを用いて、電子ビーム／フォーカルスポットは、前記標的焦点トラックの接線方向のｘ方向において所定の周波数においてフィラメント／陰極に対して横方向に偏向される。１つの画像が２つの視角において得られた情報を含み、静止画像において前記情報を仮想的に二回含むように各極端な位置においてサンプルが取られる。
【０００４】
近年、ダブルｚサンプリング、ｚフライングフォーカルスポットサンプリング又はｚ動的フォーカルスポットサンプリングは、ＣＴ分野において解像度を増加し、アーチファクトを減少させる手段として確立されている。この方法は、前記フォーカルスポットに２つのｚ位置の間を往復し、したがって検出器行毎に２つのスライスを取得し、ｚ方向におけるサンプリングを二倍にする。例えば、３２行の検出器を用いて、この技術は、効果的に６４スライスを測定する。
【０００５】
ダブルｚサンプリングは、本質的に、前記標的焦点トラック上で主にｙ方向に向けられたベクトルに沿って前記フォーカルスポットを移動することにより達成される。前記焦点トラックは、前記標的の面に対してある角度にある（典型的には７又は８度）ので、ｙ方向における前記フォーカルスポットの移動は、ｚ方向にも移動させ、その距離は、標的角度の正弦に比例する。ダブルｚサンプリングの正味の効果は、前記フォーカルスポットを前記検出器行上の２つのｚ位置の間で往復させることである。これは、検出器行毎に２つの重複するスライスを効果的に取得し、例えば３２行において６４スライスを得る。したがって、ダブルｚサンプリングが、事実上、ＣＴスキャナのスライス性能を二倍にすることができ、３２スライススキャナを６４スライススキャナにする。
【発明の概要】
【発明が解決しようとする課題】
【０００６】
本発明の目的は、同じＣＴプラットフォームを用いるｘフライングフォーカルスポット及びｚフライングフォーカルスポットの両方に対する機能を含むことである。他の目的は、一緒に又は独立してのいずれかでこれらの技術を採用する機能を含むことである。
【課題を解決するための手段】
【０００７】
これは、各独立請求項の対象により達成される。他の実施例は、それぞれの従属請求項に記載される。
【０００８】
前記目的は、一般に、Ｘ方向におけるフォーカルスポット偏向に対する第１の偏向装置とｙ方向におけるフォーカルスポット偏向に対する第２の偏向装置とを有するＸ線ビームを生成するＸ線管により解決され、前記第１の及び第２の偏向装置は、前記Ｘ線管のｚ軸に沿って互いに離れて配置される。
【０００９】
これにおいて、静電グリッドにより形成されることができる前記第１の偏向装置は、陰極カップに取り付けられることができ、更に、陰極ハウジング内に取り付けられることができる。たとえ２つの静電グリッドが通常使用されることができるとしても、２より多いグリッドを持つことは有利でありうる。
【００１０】
双極子を構成することができる前記第２の偏向装置は、電磁コイルにより形成されることができ、陰極ハウジングの外側及び陰極と陽極との間に取り付けられることができる。前記Ｘ線管の内部の前記陰極カップ自体に１つの偏向装置を取り付けることにより、及び前記Ｘ線管の外部の電子ビーム経路の周りに他の偏向装置を取り付けることにより、２つの装置の間の相互作用効果が消去される。
【００１１】
単純な双極子電磁石が、所要の磁場を生成するのに少量の磁性材料のみを必要とし、したがって磁気抵抗が非常に低く、磁場を迅速に振動させることを容易化することができることに注意する。
【００１２】
本発明の他の実施例によると、前記第２の偏向装置は、前記第２の偏向装置がｘ方向とｙ方向との間で斜めに前記フォーカルスポットを変更するようにｘ方向におけるフォーカルスポット偏向をも提供することができる。この実施例において、前記第２の偏向装置は、前記フォーカルスポットの斜めの偏向を生成するように真のｙ方向からわずかに回転される。前記第１の偏向装置は、この場合、（１）フォーカルスポット幅を集束させ、（２）これが単独で望まれる場合にｘ偏向、（３）ｍＡ変調、及び（４）ｙ偏向が単独で望まれる又は異なる量が前記斜めの偏向において望まれる場合に前記斜めの偏向のｘ部分を相殺又は修正するのに使用されることができる。
【００１３】
他の実施例によると、前記第１の偏向装置及び前記第２の偏向装置は、静的場又は動的場又はこれらの組み合わせ、すなわち動的場により重畳された静的場を発生するように動作されることができる。
【００１４】
両方の偏向装置が、様々な極性で動作されることができると理解される。例えば、前記フォーカルスポットは、静的場の使用により成形及び配置されることができ、静的場の上に動的場を重畳することによりこの位置の周りで振動されることができる。
【００１５】
更に、前記Ｘ線管の陰極は、１より多いフィラメントを有することができる。例えば、２つのフィラメントは、対応する電子ビームが異なるフォーカルスポットにおいて陽極に衝突するように配置されることができる。異なるサイズを持つフィラメントを持つことも有利でありうる。
【００１６】
本発明の他の態様によると、Ｘ線システムは、上述のＸ線管と、Ｘ線ビームの検出用の検出器と、処理ユニットとを有する。このようなシステムは、関心対象に対する前記Ｘ線管及び検出器の運動を制御し、同時に又は独立して前記関心対象自体の運動を制御するモータ制御ユニットを更に有することができる。このようなＸ線システムは、例えば、コンピュータ断層撮影システムであることができる。
【００１７】
本発明によるＸ線管は、以下の利点を提供する。
・電子放出は、前記第１の偏向装置、すなわち、例えば静電グリッドに十分な負の電位を印加することにより中断されることができる。
・位置によるフォーカルスポット形状変化は、最小化される。２つの双極子又は四極子−双極子の組み合わせの使用は、異なる偏向位置における異なるフォーカルスポット形状を生成する磁場相互作用及び歪を生じる。
・２つの双極子と比較して、より短い陽極−陰極間隔が可能でありうる。２つの双極子は、おそらく、前記線管軸の方向においてより多くの空間を必要とする。より短い間隔は、より容易な集束を可能にする。
・より高い出力が可能である。静電偏向は、磁気的偏向より速いので、ｘ方向におけるフォーカルスポット移動が前記フォーカルトラックのセクションを追跡することを避ける。前記フォーカルスポットが、前記フォーカルトラックに沿って移動する場合、前記トラックの該当する部分の増加された加熱が存在する。したがって、出力は、標的フォーカルトラックの過熱を避けるように減少されなくてはならない。
・複数のフォーカルスポットが、四極子の使用なしで単一のエミッタを使用して可能でありうる。前記第１の偏向装置は、前記フォーカルスポット幅を修正するのに使用されることができる。
【００１８】
本発明が、上述のシステムの処理ユニットに対するコンピュータプログラムにも関することができると理解される。前記コンピュータプログラムは、ｘ方向及びｙ方向における前記フォーカルスポットの偏向を制御することができる（これは、結果としてｚ方向における偏向を生じる）。前記コンピュータプログラムは、前記第１の偏向装置及び別々に構成された前記第２の偏向装置を制御することができる。
【００１９】
他方で、前記コンピュータプログラムは、前記コンピュータプログラムにより制御されて、前記システムのモニタに示されることができる画像の基礎として前記検出器から受信されたデータを処理する命令をも含むことができる。
【００２０】
更に、前記コンピュータプログラムは、関心対象に対する前記Ｘ線管及び検出器の運動を制御し、前記Ｘ線管及び検出器に対する前記関心対象自体の運動を制御する命令をも含むことができる。
【００２１】
前記コンピュータプログラムは、好ましくは、データプロセッサのワーキングメモリにロードされる。前記データプロセッサは、したがって、本発明の方法を実行する設備を備えている。更に、本発明は、前記コンピュータプログラムが記憶されることができるＣＤ−ＲＯＭのようなコンピュータ可読媒体に関する。しかしながら、前記コンピュータプログラムは、ワールドワイドウェブのようなネットワーク上に示されてもよく、このようなネットワークから前記データプロセッサの前記ワーキングメモリにダウンロードされることができる。
【００２２】
本発明の実施例が、異なる対象に関して記載されることに注意すべきである。特に、一部の実施例は、方法型請求項に関して記載されるのに対し、他の実施例は、装置型請求項に関して記載される。しかしながら、当業者は、上の及び以下の記載から、他に通知されない限り、１つのタイプの対象に属するフィーチャの組み合わせに加えて、異なる対象に関するフィーチャ間の組み合わせも本出願を用いて開示されると見なされると推測する。
【００２３】
上で規定された態様並びに本発明の他の態様、フィーチャ及び利点は、以下に記載される実施例から得られることができ、実施例を参照して説明される。本発明は、本発明が限定されない実施例を参照してより詳細に以下に記載される。
【図面の簡単な説明】
【００２４】
【図１】本発明によるシステムの概観を示す。
【図２】本発明によるＸ線管の概略図である。
【図３】本出願との関連で使用される座標系を含む陽極の等角図である。
【図４】本発明によるＸ線管の陽極、電磁コイル及び静電グリッドの相対的な位置を示す。
【図５】本発明によるＸ線システムを動作する方法のステップを持つフローチャートを示す。
【発明を実施するための形態】
【００２５】
図面における図示は、概略的であり、正しい縮尺ではない。異なる図において、同様の要素が同じ参照符号を与えられることに注意する。
【００２６】
図１は、本発明によるＸ線システム１００を示す。前記Ｘ線システムは、ＣＴスキャナとも称されるコンピュータ断層撮影システムであることができ、本発明によるＸ線管が使用されることができる。ＣＴスキャナ１００は、回転軸１０２の周りで回転可能であるガントリ１０１を有する。ガントリ１０１は、モータ１０３を用いて駆動される。
【００２７】
参照番号２００は、多色放射線１０７を発することができる本発明によるＸ線管のような放射線源を示す。ＣＴスキャナ１００は、Ｘ線源２００から放たれたＸ線放射線を放射線ビーム１０７に形成する開口システム１０６を更に有する。放射線源２００から放たれた放射線ビームのスペクトル分布は、更に、開口システム１０６の近くに配置されることができるフィルタ要素（図示されない）により偏向されることができる。
【００２８】
コーン形状又はファン形状ビーム１０７であることができる放射線ビーム１０７は、患者１１０の頭部のような関心領域を貫通するように向けられる。
【００２９】
患者１１０は、台１１２上に配置される。前記患者の頭部は、ガントリ１０１の中央領域内に配置され、前記中央領域は、ＣＴスキャナ１００の検査領域を表す。前記関心領域を通過した後に、放射線ビーム１０７は、放射線検出器１１５上に衝突する。Ｘ線放射線が前記患者の頭部により散乱され、斜角の下で前記Ｘ線検出器上に衝突することを抑制することができるために、散乱除去グリッドが設けられるが、描かれない。前記散乱除去グリッドは、好ましくは、検出器１１５の直接的に前に配置される。
【００３０】
Ｘ線検出器１１５は、Ｘ線管２００の反対側にガントリ１０１上に配置される。検出器１１５は、複数の検出器要素を有し、各検出器要素は、患者１１０の頭部を通過したＸ線光子を検出することができる。
【００３１】
スキャンプロセスを向上させるために、Ｘ線管２００内の陰極から来る最初の電子ビームは、第１の偏向装置を用いてＸ方向に偏向されることができ、第２の偏向装置を用いてｙ方向に偏向されることができ、この結果、ｚ方向における偏向を生じる。これらの要素は、より詳細に以下に記載される。
【００３２】
前記関心領域をスキャンする間に、Ｘ線源２００、開口システム１０６及び検出器１１５は、矢印１１７により示される回転方向にガントリ１０１と一緒に回転される。ガントリ１０１の回転に対して、モータ１０３は、モータ制御ユニット１２０に接続され、モータ制御ユニット１２０自体は、データ処理装置１２５に接続される。データ処理装置１２５は、本発明によるコンピュータプログラムの一部を構成するソフトウェアを用いて及び／又はハードウェアを用いて実現されることができる再構成ユニットを含む。前記再構成ユニットは、Ｘ線管２００における電子ビーム偏向を用いて追加的に調節されることができる様々な観察角度の下で得られた複数の２Ｄ画像に基づいて３Ｄ画像を再構成する。
【００３３】
更に、データ処理装置１２５は、台１１２の移動に対するガントリ１０１の移動を調整するためにモータ制御ユニット１２０と通信する制御ユニットとしても機能する。台１１２の線形変位は、モータ１１３により実行され、モータ１１３も、モータ制御ユニット１２０に接続される。
【００３４】
ＣＴスキャナの動作中に、ガントリ１０１は、回転することができ、同時に、台１１２は、前記関心対象のヘリカルスキャンが実行されることができるように回転軸１０２に平行に線形にシフトすることができる。回転軸１０２に平行な方向に変位がなく、回転軸１０２の周りのガントリ１０１の回転のみが存在する円形スキャンを実行することも可能であることができることに注意すべきである。これにより、頭部のスライスは、高い精度で測定されることができる。前記患者の頭部のより大きな三次元表現は、少なくとも半分のガントリ回転が各離散的な台位置に対して実行された後に、回転軸１０２に平行に離散的なステップで台１１２を順次的に移動することにより得られることができる。
【００３５】
検出器１１５は、前置増幅器１１８に結合されることができ、前置増幅器１１８自体は、データ処理装置１２５に結合される。処理装置１２５は、異なる投影角度で取得された複数の異なるＸ線投影データセットに基づいて、前記患者の頭部の３Ｄ表現を再構成することができる。
【００３６】
前記患者の頭部の再構成された３Ｄ表現を観察するために、ディスプレイ１２６が設けられ、これは、データ処理装置１２５に結合される。加えて、前記３Ｄ表現の透視図の任意のスライスが、プリンタ１２７により印刷されることもでき、プリンタ１２７も、データ処理装置１２５に結合される。更に、データ処理装置１２５は、画像保管通信システム１２８にも結合されることができる。
【００３７】
モニタ１２６、プリンタ１２７及び／又はＣＴスキャナ１００内に与えられる他の装置が、コンピュータ断層撮影装置１００に対してローカルに配置されてもよいことに注意すべきである。代わりに、これらの構成要素は、施設若しくは病院内の他の場所、又はインターネット及び仮想プライベートネットワーク等のような１以上の設定可能なネットワークの使用によりＣＴスキャナ１００にリンクされる全体的に異なる場所のように、ＣＴスキャナ１００から離れていてもよい。
【００３８】
最終的に、処理装置１２５は、Ｘ線管２００とも接続される。この接続により、処理装置１２５は、それぞれ前記第１の及び第２の偏向装置を用いてｘ及びｙ方向におけるフォーカルスポット偏向を制御することができる。
【００３９】
図２は、異なるＸ線フォーカルスポットから生じるＸ線を発生するＸ線管２００を示す。Ｘ線管２００は、シャフト２３０を持つ陽極２０６を有する。シャフト２３０は、シャフト２３０がｚ軸の周りで回転されることができるような形でガイドされる。回転駆動部２３１は、陽極２０６の回転運動を可能にするために設けられる。駆動部２３１は、機械的及び／又は磁気的相互作用点を用いてシャフト２３０と相互作用することができる。
【００４０】
Ｘ線管２００は、ｚ軸に対して横方向に配置される電子源２５０を更に有する。ここに記載される実施例によると、前記電子源は、動作中に電子ビーム２５５を発生する熱い陰極２５０でありうる。前記電子ビームは、陽極２０６の上面に衝突する。これにより、フォーカルスポットが規定される。前記上面は、前記フォーカルスポットからＸ線ビーム２５８がｚ軸から外側に半径方向に投射するようにｚ軸に対して斜めに向けられる。
【００４１】
前記フォーカルスポットの正確な位置を制御するために、Ｘ線管２００は、電子ビーム２５５をｘ方向において偏向する第１の電子偏向装置２５６を更に有する。第１の電子偏向装置２５６は、例えば静電グリッドにより形成されることができる。第１の電子偏向装置２５６は、第１の電子偏向装置２５６に必要な電気信号を提供する制御ユニット１２５に結合される。例えば、前記グリッドの１つは、−１００Ｖを印加されることができ、前記グリッドの他方は、−５０Ｖを印加されることができる。
【００４２】
更に、Ｘ線管２００は、２つの電磁コイルにより形成されることができる第２の電子偏向装置２６０を有する。前記陰極カップと前記陽極との間に前記陰極のネックの周りに取り付けられたこのようなコイルが示される。前記コイルは、磁力がｙ方向において、したがってｚ方向において偏向を生成するように配置される双極子を構成する。前記第２の電子偏向装置は、制御ユニット１２５にも結合される。したがって、図２は、独立したｘ及びｙ（ｚ）フォーカルスポット偏向を生成する２つの別々の偏向装置の組み合わせを示す。
【００４３】
前記双極子が、'Ｕ'の脚の間の'Ｕ'の底部の周りに配置された唯一の電磁コイルを持つＵ字型磁気要素により構成されることもできることに注意する。
【００４４】
図３は、まず、ｘ、ｙ及びｚの従来の方向を示すＣＴ座標系を示す。このＣＴ座標系が患者を基準とし、ｘ方向が前記患者に対して横方向であり、ｙ方向が前記患者に対して縦方向であり、ｚ方向が前記患者の長さに沿っていることに注意する。
【００４５】
陽極２０６の標的エリア上の４つの偏向されたフォーカルスポット位置２７０も、図３に示される。ｚ方向における偏向は、ｙ方向において前記電子ビームを偏向することにより生成される。これは、前記ビームに斜めのトラックを上らせ、前記フォーカルスポットにｚ方向に移動させる。
【００４６】
ｘ偏向は、解像度を向上する導入された視差を生じ、ｚ偏向は、二重スライス機能を提供する。
【００４７】
図４は、前記第１の偏向装置、前記第２の偏向装置及び前記陽極の一部の構成の詳細図を示す。更に、基準座標系が示される。電子放射陰極２５０は、静電場による力が（矢印Ａにより示される）ｘ方向において偏向を生成するように陰極のいずれかの側に取り付けられた前記第１の偏向装置、ここでは２つの静電グリッド２５６、とともに示される。前記陰極から来ると、電子は、この後に、（矢印Ｂにより示される）ｙ方向において電子の偏向を誘導するように配置された前記第２の偏向装置、ここでは電磁コイル２６０、の磁場を通る。最終的に、各電子は、前記陽極の標的エリア２７０に衝突する。
【００４８】
図５は、上記のＸ線システムを動作する方法のステップを持つフローチャートを示す。これらのステップは、本発明によるコンピュータプログラム内の命令として実施される。前記方法に対して記載されるステップが主要なステップであり、これらの主要なステップが複数のサブステップに分化又は分割されてもよいと理解されたい。更に、これらの主要なステップの間にもサブステップが存在しうる。したがって、ステップは、前記ステップが本発明による方法の原理の理解に対して重要である場合にのみ、述べられる。
【００４９】
ステップＳ１において、前記Ｘ線管及び前記検出器は、モータ１０３及び１１３を制御する手段により、前記関心対象に対して配置される。
【００５０】
ステップＳ２において、Ｘ線管２００内の陰極２５０により放たれた電子ビームは、第１の偏向装置２５６を制御する手段により、ｘ方向において偏向される。
【００５１】
ステップＳ３において、第１の偏向装置２５６から来る電子ビームは、第２の偏向装置２６０を制御する手段により、ｙ方向において偏向される。
【００５２】
ステップＳ４において、前記Ｘ線管を離れ、前記関心対象を貫通する電子ビームは、前記検出器の前記検出器要素に衝突する。
【００５３】
最後に、ステップＳ５において、画像が、前記検出器要素から受信された信号に基づいて処理ユニット１２５により生成される。
【００５４】
本発明は、図面及び先行する説明において詳細に図示及び記載されているが、このような図示及び記載は、限定的ではなく、説明的又は例示的であると見なされるべきである。本発明は、開示された実施例に限定されない。
【００５５】
開示された実施例に対する他の変形例は、図面、開示及び添付の請求項の検討から、請求された発明を実施する当業者により理解及び達成されることができる。請求項において、単語"有する"は、他の要素又はステップを除外せず、不定冠詞"ある"は、複数を除外しない。単一のプロセッサ又は他のユニットは、請求項に記載される複数のアイテムの機能を満たしてもよい。特定の方策が相互に異なる従属請求項に記載されるという単なる事実は、これらの方策の組み合わせが有利に使用されることができないことを示さない。コンピュータプログラムは、他のハードウェアと一緒に又は一部として与えられる光学記憶媒体又は半導体媒体のような適切な媒体上に記憶／分配されてもよいが、インターネット又は他の優先又は無線電気通信システムを介するような他の形で配信されてもよい。請求項内の参照符号は、その範囲を限定すると解釈されるべきでない。
【符号の説明】
【００５６】
１００：Ｘ線システム
１０１：ガントリ
１０２：回転軸
１０３，１１３：モータ
１０６：開口システム
１０７：放射線
１１０：患者
１１２：台
１１５：検出器
１１７：回転方向
１１８：前置増幅器
１２０：モータ制御ユニット
１２５：処理装置
１２６：ディスプレイ
１２７：プリンタ
１２８：保管通信システム
２００：Ｘ線管
２０６：陽極
２３０：シャフト
２３１：回転駆動部
２５０：電子源／陰極
２５５：電子ビーム
２５６：第１の電子偏向装置
２５８：Ｘ線ビーム
２６０：第２の偏向装置
２７０：フォーカルスポット位置／標的エリア
【図１】
2013502033.tif 000003
【図２】
2013502033.tif 000004
【図３】
2013502033.tif 000005
【図４】
2013502033.tif 000006
【図５】
2013502033.tif 000007
【国際調査報告】
2013502033.tif 000008
2013502033.tif 000009
2013502033.tif 000010